(57)【要約】【課題】プリンタ用ロール紙を収容部内で保持する投げ込み式プリンタでは、用紙の搬送の開始／停止に伴い、ロール紙の巻き具合に変動が生じて印字／搬送に不良を生じさせることがある。【解決手段】プリンタに、ロール紙を軸支することなく収容するロール紙収容部と、ロール紙から供給される用紙を搬送する用紙搬送部と、用紙に印字を行う印字部と、ロール紙収容部内に収容されたロール紙を押圧するロール紙押さえ部と、ロール紙が所定の径以下になったことを検出するロール紙残量小検出部とを設け、ロール紙押さえ部は、所定の径以下となったロール紙をロール紙収容部の底面に向けて押圧して、ロール紙残量小検出部が、ロール紙が所定の径以下になったことを検出可能な位置に、所定の径以下となったロール紙を留まらせる。【選択図】図２
2018008823.tif 000002
【特許請求の範囲】
【請求項１】
ロール紙を軸支することなく収容するロール紙収容部と、前記ロール紙から供給される用紙を搬送する用紙搬送部と、前記用紙に印字を行う印字部と、前記ロール紙収容部内に収容されたロール紙を押圧するロール紙押さえ部と、前記ロール紙が所定の径以下になったことを検出するロール紙残量小検出部とを備え、
前記ロール紙押さえ部は、所定の径以下となった前記ロール紙を前記ロール紙収容部の底面に向けて押圧して、前記ロール紙残量小検出部が、前記ロール紙が所定の径以下になったことを検出可能な位置に、所定の径以下となった前記ロール紙を留まらせる、ロール紙プリンタ。
【請求項２】
請求項１に記載のロール紙プリンタであって、
前記ロール紙押さえ部は、前記ロール紙を押圧するとともに用紙搬送に伴って回転する押さえローラと、前記押さえローラの回転を摩擦力によって抑制する回転抑制部とを有する、ロール紙プリンタ。
【請求項３】
請求項２に記載のロール紙プリンタであって、
前記回転抑制部は、用紙搬送停止後、慣性力によって前記押さえローラが回転を継続することを摩擦力によって制動する構造体である、ロール紙プリンタ。
【請求項４】
請求項１又は３に記載のロール紙プリンタであって、
前記回転抑制部は、前記押さえローラを押圧するブラシである、ロール紙プリンタ。
【請求項５】
請求項１ないし４の何れか一項に記載のロール紙プリンタであって、
前記ロール紙から供給される用紙が、前記押さえローラを経由して前記用紙搬送部の搬送路に進入する構造である、ロール紙プリンタ。
【請求項６】
請求項１ないし５の何れか一項に記載のロール紙プリンタであって、
前記ロール紙プリンタは、上方フレームと下方フレームとを含み、前記上方フレームは、前記下方フレームに設けられた回動軸を中心として上方に回動可能であり、
前記ロール紙押さえ部は退避用シャフトを有し、前記上方フレームは退避用シャフト押圧部を有し、
前記上方フレームの前記退避用シャフト押圧部が、前記上方フレームの回動に伴って前記ロール紙押さえ部の前記退避用シャフトに当接して押圧し、前記押さえローラとその支持部とを退避位置に移動させる、
ロール紙プリンタ。
【発明の詳細な説明】
【技術分野】
【０００１】
本発明は、ロール紙プリンタに関し、特にロール紙をロール紙収容部内で用紙搬送部に給紙する構造に関する。
【背景技術】
【０００２】
昨今、様々な用途にロール紙プリンタが用いられている。ロール紙プリンタには、ロール紙を収容する構造として、ロール紙の中心を支持する軸支式と、ロール紙を軸支することなく収容する投げ込み式（ドロップイン式）とがある。
【０００３】
投げ込み式のロール紙プリンタ関連する技術は特許文献１に記載されている。
【０００４】
特許文献１に記載されたロール紙プリンタは、ロール紙を投げ込み式で収容するロール収容部と、ロール紙の外形変化に追従して当該ロール紙の外周面に押し付けられた状態に保持されるロール紙押さえローラ（当該特許文献の符号４１）を有している。
【先行技術文献】
【特許文献】
【０００５】
【特許文献１】特開２００９−９６５９５号公報
【発明の概要】
【発明が解決しようとする課題】
【０００６】
ロール紙押さえローラを有さない投げ込み式のロール紙プリンタでは、用紙搬送の際、ロール紙が収容部内で上下方向等に少なからず移動（転動）する。このロール紙の上下方向等の動きは、用紙搬送の際に、用紙搬送部への負荷として作用する。このロール紙の転動は、用紙搬送に対して、悪影響を及ぼす要因と成り得る。例えば、用紙搬送に滑りが生じて印字が正常に行われないという恐れがある。また、用紙搬送が開始されて終了（停止）した後、ロール紙の慣性力によって用紙の弛みを生じる。この用紙の弛みは、その後の印字の際、用紙の搬送に伴って弛みが解消される時に用紙搬送部への負荷が変動することに繋がる。結果として、用紙搬送に滑りが生じて用紙への印字が正常に行われないことがある。また、用紙の弛みが大きいと、紙詰まりの要因となることもある。
【０００７】
特許文献１に記載されたロール紙プリンタは、ロール紙押さえローラを具備し、ロール紙押さえローラの作用によって、ロール収容部内で用紙の搬送時に生じる転動を低減している。しかしながら、当該文献には、ロール紙から供給される用紙の弛みの発生を抑制することについてはなんら記載がない。
【０００８】
本発明は、上記課題に鑑みて成されたものであり、ロール紙の転動や用紙の弛み発生を抑制することが可能なロール紙収容部を備えるロール紙プリンタを提供することにある。
【課題を解決するための手段】
【０００９】
本発明の一実施形態に係るロール紙プリンタは、ロール紙を軸支することなく収容するロール紙収容部と、前記ロール紙から供給される用紙を搬送する用紙搬送部と、前記用紙に印字を行う印字部と、前記ロール紙収容部内に収容されたロール紙を押圧するロール紙押さえ部と、前記ロール紙が所定の径以下になったことを検出するロール紙残量小検出部とを備え、前記ロール紙押さえ部は、所定の径以下となった前記ロール紙を前記ロール紙収容部の底面に向けて押圧して、前記ロール紙残量小検出部が、前記ロール紙が所定の径以下になったことを検出可能な位置に、所定の径以下となった前記ロール紙を留まらせる。
【発明の効果】
【００１０】
本発明によれば、ロール紙の転動や用紙の弛み発生を抑制することが可能なロール紙収容部を備えるロール紙プリンタを提供できる。
【図面の簡単な説明】
【００１１】
【図１Ａ】本発明の一実施形態に係るロール紙収容構造を備えるロール紙プリンタ１の斜視図であり、上方フレームを閉じた状態を示す図である。
【図１Ｂ】本発明の一実施形態に係るロール紙収容構造を備えるロール紙プリンタ１の斜視図であり、上方フレームを開いた状態を示す図である。
【図２】一実施形態のロール紙収容構造に用いるロール紙押さえ部１１の図である。（図２（ａ）はロール紙押さえ部単体の斜視図，図２（ｂ）は中央部近辺の断面図）
【図３Ａ】一実施形態のロール紙収容構造を備えるロール紙プリンタ１の断面図であり、ロール紙２が最大径である時示す図である。
【図３Ｂ】一実施形態のロール紙収容構造を備えるロール紙プリンタ１の断面図であり、ロール紙２が小径である時を示す図である。
【図４】は、一実施形態に係るロール紙プリンタ１の上面図である。
【図５】一実施形態のロール紙プリンタ１の断面図（図４のＡ−Ａ線）である。
【図６】一実施形態のロール紙プリンタ１の断面図（図４のＢ−Ｂ線）である。
【図７】ロール紙収容構造を備えるロール紙プリンタ１の電気的ブロック構成図である。
【発明を実施するための形態】
【００１２】
本発明の実施形態を図面を参照して説明する。
【００１３】
［実施形態］ 
図１Ａ及び図１Ｂは、本発明の一実施形態に係るロール紙収容構造を備えるロール紙プリンタ１の斜視図である。図１Ａは、上方フレームを閉じた状態の斜視図であり、図１Ｂは、上方フレームを開いた状態、即ち、ロール紙交換を行える状態の斜視図である。図２は、本発明のロール紙収容構造に用いるロール紙押さえ部１１の図である。
【００１４】
本実施形態のロール紙プリンタ１は、感熱用紙であるロール紙２を使用する投げ込み式のサーマルプリンタである。ロール紙プリンタ１は、上方フレーム１０と下方フレーム２０とから成る。上方フレーム１０は、係合解除レバー４５の操作によって係合部３１とプラテンローラ４２の軸との係合が解除されることで、回動軸部分３０を中心として下方フレーム２０に対して回動可能になる。なお、図１Ｂに示す上方フレーム１０を開いた状態は、両側面に設けられた上方フレーム１０の回動を補助するバネ３２によって維持される。
【００１５】
本実施形態のロール紙プリンタ１には、上方フレーム１０にロール紙押さえ部１１が設けられ、下方フレーム２０にロール紙収容部２１（底面構造は図３Ａ及び図３Ｂを参照）が設けられている。また、上方フレーム１０には、用紙切断部４３の上側構成部やサーマルヘッド４１等が設けられ、下方フレーム２０には、用紙切断部４３の下側構成部やプラテンローラ４２、用紙搬送部４４の駆動モータ（図示せず）等が設けられている。
【００１６】
ロール紙プリンタ１は、ロール紙収容部２１とロール紙押さえ部１１とによって、ロール紙２を軸支することなくロール紙２を収容し、ロール紙２から供給される用紙に印字（印刷）を行う。ロール紙押さえ部１１は、ロール紙２を押圧するとともに用紙搬送に伴って回転する押さえローラ１２と、この押さえローラ１２の回転を抑制する回転抑制部１３とを有する。
【００１７】
なお、ロール紙２から供給される用紙は、用紙搬送部４４に設けられたサーマルヘッド４１とプラテンローラ４２とで挟持されながら、プラテンローラ４２が回転することによって搬送され、サーマルヘッド４１によって印字が行われる。印字終了後は、用紙切断部４３によって切断される。プラテンローラ４２には、駆動モータから、歯車（図示せず）等の伝達機構を介して回転力が伝達される。用紙搬送部４４は、サーマルヘッド４１、プラテンローラ４２、駆動モータ、歯車等によって構成されている。
【００１８】
図２は、ロール紙収容構造に用いるロール紙押さえ部１１を示す図である。図２（ａ）は、ロール紙押さえ部１１単体の斜視図であり、図２（ｂ）は、ロール紙押さえ部１１の中央部近辺の断面図である。
【００１９】
図示するようにロール紙押さえ部１１では、ロール紙２を押圧する押さえローラ１２と、押さえローラ１２の回転を摩擦力によって抑制する回転抑制部としてブラシ１３がアーム１４に固定されている。ロール紙押さえ部１１は、基台部１５を具備して、回動軸１５ａを中心としてアーム１４が回動する。また、回動軸１５ａには、アーム１４を下方向に付勢する捩りコイルバネ（トーションバースプリング）１６が組み込まれている。また、アーム１４には、回動軸１５ａを間にして、押さえローラ１２とは逆側に退避用シャフト１７が設けられている。
【００２０】
アーム１４の端部に回転可能に取り付けられた押さえローラ１２は、回転軸１２ａを中心として用紙搬送に伴って回転する。本実施形態の押さえローラ１２は、プラスチック製であり、他の部品は金属製である。基台部１５には、左側と右側にそれぞれ、２つの位置決め用孔１８ａ、１つの取付ネジ用孔１８ｂ、及び上方フレームと下方フレームの回動軸に嵌合する嵌合部１８ｃが設けられている。
【００２１】
図２（ｂ）に示すように、アーム１４の裏面には、プラスチック製のブラシ１３がブラシの接着面部分１３ａで取り付けられている。ブラシ１３は、アーム１４の角部１４ａ部分とは当接せず、押さえローラ１２と当接して２５度程度後退している。ブラシ１３は可撓性を有しており、押さえローラ１２を押圧して発生する摩擦力で、その回転を抑制（制動）する。このロール紙押さえ部１１のブラシ１３は、押さえローラ１２が、用紙搬送停止後、慣性力によって回転を継続することを抑制する回転抑制部である。ブラシ１３によって、慣性力による押さえローラ１２の回転の継続を抑制する理由については後述する。なお、図２（ｂ）では、アーム１４の一部、ブラシ１３、及び押さえローラ１２のみを図示している。
【００２２】
図３Ａ及び図３Ｂは、ロール紙プリンタ１の断面図である。図４は、図１Ａの状態のロール紙プリンタ１の上面図である。図３Ａは、ロール紙２が最大径である時の図であり、図３Ｂは、ロール紙２が小径である時の図である。図３Ａ及び図３Ｂは、図４中のＡ−Ａ線に沿った断面図である。
【００２３】
図３Ａ及び図３Ｂに示すように、ロール紙２は、ロール紙収容部２１に収容される。また、ロール紙２から供給される用紙は、ロール紙押さえ部１１の押さえローラ１２を経由して用紙搬送路入口２２に進入し、用紙搬送路２３に沿って搬送され、用紙搬送路出口２４から出力される。
【００２４】
ロール紙押さえ部１１のアーム１４は、回動軸１５ａを中心とする円の円周に沿って下方向に付勢されている。ロール紙収容部２１は、底部で鈍角（１２０度）をなす２つの底面を有している。用紙搬送路入口２２側の底面には、回転可能な支持ローラ２５ａ及び２５ｂが設けられており、逆側の底面には回転可能な支持ローラ２５ｃが設けられている。
【００２５】
図３Ａに示すように、ロール紙２が最大径である時、ロール紙２は支持ローラ２５ｂ，２５ｃの２つで支持され、ロール紙押さえ部１１によって下側に押しつけられて（押圧されて）いる。ロール紙２が最大径である時も、ロール紙押さえ部１１のアーム１４の押さえローラ１２は、用紙搬送に伴って回転する。また、底面の支持ローラ２５ｂ，２５ｃは回転可能である。従って、押さえローラ１２や支持ローラ２５ｂ，２５ｃが、ロール紙２の回転を摩擦力によって阻害することはない。なお、押さえローラ１２は、ブラシ１３によって回転を抑制されているが、その摩擦による抑制力は、用紙搬送が停止したとき、慣性力によって押さえローラ１２が回転を継続することを抑制（制動）する程度である。従って、ロール紙２を回転させるために必要な引張力への影響は小さく、用紙を引く引張力をわずかに大きくするだけでよい。
【００２６】
図３Ａに示すように、ロール紙押さえ部１１がロール紙２を押圧しているので、ロール紙２の転動は、ロール紙押さえ部１１によって抑制される。また、用紙搬送終了後のロール紙２から供給される用紙の弛みの発生も、ロール紙押さえ部１１によって抑制される。従って、用紙搬送部４４は、ロール紙２から供給される用紙を、安定して搬送することができる。なお、ロール紙２が最大径である場合を含めて大径である場合、その径の大きさと重さの故に、用紙搬送に対して悪影響を及ぼすロール紙２の転動は発生しない。ロール紙押さえ部１１がない場合、ロール紙２の径が減少するとともに軽くなってくると、用紙搬送に対して悪影響を及ぼす転動が発生し始める。ロール紙押さえ部１１がロール紙２を押さえる力は、用紙搬送の負荷ともなるため、できるだけ小さい方がよい。従って、ロール紙押さえ部１２がロール紙２を押さえる力は、ロール紙２の径が減少するとともに軽くなって、用紙搬送に対して悪影響を及ぼす転動が発生し始めることを阻止できる程度とするのが望ましい。
【００２７】
ブラシ１３によって、慣性力による押さえローラ１２の回転の継続を抑制する理由について説明する。ブラシ１３を備えるロール紙押さえ部１１によって、用紙搬送終了後のロール紙２から供給される用紙の弛みの発生が抑制される。しかしながら、押さえローラ１２を経由する前のロール紙２には、ロール紙収容部２１内にあるロール紙２の最も外側の紙が、その内側の紙より離反してわずかに膨らむ程度の軽微な弛みが発生する場合がある。その場合でも、押さえローラ１２は、ブラシ１３との当接の摩擦力で回転を抑制されており、慣性力によって回転を継続することを制動するので、ロール紙２の軽微な弛みは、押さえローラ１２とロール紙２との間に留まる。従って、押さえローラ１２と用紙搬送路入口２２との間に用紙の弛みが発生することが抑制される。なお、上述したような押さえローラ１２とロール紙２との間のロール紙２の軽微な弛みであれば、用紙は、ロール紙２を押圧している押さえローラ１２を経由して供給されるので、次の用紙搬送の際、印字に影響を与えるような負荷の変動とはならない。以上が、ブラシ１３によって、慣性力による押さえローラ１２の回転の継続を抑制する理由である。
【００２８】
仮に、押さえローラ１２がブラシ１３を備えないものであるとすると、押さえローラ１２が慣性力によって回転を継続することが抑制されず、押さえローラ１２を経由する前のロール紙２の軽微な弛みが、押さえローラ１２を経由して送られて、押さえローラ１２と用紙搬送路入口２２との間に用紙の弛みとして現れる。この用紙の弛みによって、印字に影響を与えるような負荷の変動が生じる恐れがある。
【００２９】
因みに、押さえローラ１２を回転しないように固定することによっても同様の効果を奏することができるが、回転しない押さえローラ１２と当接するロール紙の面が印字を行う面であった場合、発色する恐れがあり、また、押さえローラ１２に偏摩耗が生じる恐れがある。
【００３０】
ロール紙押さえ部１１のアーム１４は、回動軸１５ａを中心とする円の円周に沿って下方向に付勢されている。このため、ロール紙押さえ部１１の押さえローラ１２は、ロール紙２の径の減少に追随して、図３Ｂに示すように、ロール紙２が小径となってもロール紙２を底面に押しつけて（押圧して）いる。ロール紙２が一定量使用されると、ロール紙２は、支持ローラ２５からは外れて底面で支持される。この際のロール紙２とロール紙収容部２１底面との間のロール紙２の回転時の摩擦力は、底面がプラスチック製であり又ロール紙２が軽くなっているため、小さい。用紙搬送部４４は、上述した引張力を発揮可能であるため、小径のロール紙２を問題なく搬送できる。また、本ロール紙収容構造は、ロール紙２が小径となった場合も、ロール紙２の転動や押さえローラ１２と用紙搬送路入口２２との間の用紙の弛み発生を抑制できる。
【００３１】
上述したように、本発明によるロール紙収容構造によれば、用紙搬送部４４に対する負荷の変動を防止できる。
【００３２】
次に、ロール紙押さえ部１１の押さえローラ１２を含むアーム１４を、ロール紙交換時に所定位置に退避させる機構について説明する。アーム１４は、押さえローラ１２の支持部である。
【００３３】
図５及び図６は、一実施形態のロール紙プリンタ１の断面図である。図５（ａ）〜図５（ｄ）は、図４のＡ−Ａ線の断面図であり、図６（ａ）〜図６（ｄ）は、図４のＢ−Ｂ線の断面図である。図５（ａ），図５（ｂ），図５（ｃ），図５（ｄ）は、それぞれ、図６（ａ），図６（ｂ），図６（ｃ），図６（ｄ）に対応している。図６においては、上方フレーム１０の回動の中心（回動軸部分３０の中心）を一点鎖線の交点で示している。図５及び図６において、ロール紙２はロール紙収容部２１に収容されていない。また、図５及び図６において、ロール紙押さえ部１１のブラシ１３は図示していない。図５（ａ）及び図６（ａ）は、上方フレーム１０の係合部３１と下方フレーム２０のプラテンローラ４２の軸が係合し、上方フレーム１０が閉じられている時の図であり、図５（ｂ）及び図６（ｂ）は、上方フレーム１０の係合部３１の係合が解除され、上方フレーム１０が開かれ始めた時の図であり、図５（ｃ）及び図６（ｃ）は、図５（ｂ）及び図６（ｂ）に続く図であり、図５（ｄ）及び図６（ｄ）は、上方フレーム１０が完全に開かれた時の図である。この図５（ｄ）及び図６（ｄ）に示す押さえローラ１２を含むアーム１４の位置が、押さえローラ１２を含むアーム１４の退避位置である。
【００３４】
上方フレーム１０の係合部３１の係合が解除され、上方フレーム１０が開かれ始めると、これに伴って、図５（ｂ）及び図６（ｂ）に示すように、上方フレーム１０に設けられた退避用シャフト押圧部１９がアーム１４の退避用シャフト１７に当接し始める。さらに上方フレーム１０を開くと、図５（ｃ）及び図６（ｃ）に示すように、退避用シャフト押圧部１９が退避用シャフト１７を押圧し、退避用シャフト押圧部１９の形状に沿って、アーム１４の退避用シャフト１７が移動する。上方フレーム１０が開き切っていないこの状態で、ロール紙押さえ部１１の押さえローラ１２を含むアーム１４が上方フレーム２０に近接する位置まで移動する構造となっているので、使用者によるロール紙投入時、上方フレーム１０とロール紙押さえ部１１の押さえローラ１２との間に誤ってロール紙２が投入されることを防止することができる。
【００３５】
なお、上述の説明は、図示されている側（印字済み用紙が排出される側から見て左側）のロール紙押さえ部１１の退避用シャフト１７と退避用シャフト押圧部１９に関する説明であるが、右側の構造についても同様である。
【００３６】
さらに、本発明のロール紙プリンタ１のロール紙ニアエンド検出機能に関して説明する。ここでロール紙のニアエンドとは、ロール紙２が所定の径以下になった状態、即ち、ロール紙２の残量が、交換を必要とする量となった状態のことである。ロール紙ニアエンド検出機能とは、即ち、ロール紙の残量が少なくなったことを検出するロール紙残量小検出機能である。ロール紙プリンタ１は、ニアエンドを検出すると、上位装置に信号を送出し、上位装置は、ロール紙２の交換が必要である旨のメッセージを出力する等する。
【００３７】
図７は、本発明のロール紙収容構造を備えるロール紙プリンタ１の電気的ブロック構成図である。ロール紙プリンタ１は、制御部４６、用紙搬送部４４、印字部４０、用紙切断部４３、ニアエンド検出部４７、及び通信部４９を備えている。制御部４６は、ロール紙プリンタ１が備える各部を制御し、各部に処理を実行させる。用紙搬送部４４はロール紙２から供給される用紙を搬送する。印字部４０は用紙に印字を行う。用紙切断部４３は、用紙を切断する。ニアエンド検出部４７は、ニアエンドセンサ４８からの信号に基づいてロール紙２のニアエンドを検出する。ニアエンド検出部４７とは、即ち、ロール紙残量小検出部である。通信部４９は、上位装置（例えばＰＯＳ（Point OF Sales）端末装置）と通信を行う。ロール紙プリンタ１の制御部４６は、ニアエンド検出部４７でロール紙２のニアエンドを検出すると、通信部４９を介して、上位装置にニアエンド検出の情報を送信する。
【００３８】
ニアエンドセンサ４８は、光センサ（フォトセンサ）である。ロール紙２のニアエンドを検出するために、図５や図６に示すように、ロール紙収容部２１の下部に、ニアエンドセンサ４８（図示せず）が光を送出し、反射光を受光するための検出窓２６が設けられている。検出窓２６は、ロール紙収容部２１内で、ロール紙２のニアエンドを検出する位置、即ち、ロール紙２が所定の径以下となったことを検出する位置に設けられている。換言すれば、所定の径以下となったロール紙２を押圧する押さえローラ１２の位置と、ニアエンドセンサ４８の検出窓の位置とが、所定の位置関係（所定の距離と角度）となる構造となっている。本実施形態の光センサは、反射光を検出する反射型フォトセンサ（フォトリフレクタ）であるが、光センサは、透過光の遮光の有無を検出する透過型フォトセンサ（フォトインタラプター）であってもよい。図３Ｂに示す状態からロール紙２がさらに消費され、ロール紙２の径が所定の径以下となると、ニアエンドセンサ４８が、光センサからの出力に基づいて、ロール紙２のニアエンドを検出する。ロール紙押さえ部１１がないと、ロール紙２の径がニアエンドとして検出すべき所定の径以下となっても、ロール紙２が所定の位置に留まっておらず、ニアエンドセンサ４８で検出できない位置に留まったままとなったり、ニアエンドセンサ４８で検出できない姿勢（傾くなど）や形状（膨らんでいる，弛んでいるなど）となってしまう恐れがある。
【００３９】
これに対して本発明のロール紙収容構造の場合、ロール紙プリンタ１は、ロール紙押さえ部１１を有しているため、ロール紙の径が所定の径以下となったロール紙２が、ニアエンドセンサ４８がロール紙のニアエンドを検出する位置に留まっており、安定してロール紙２のニアエンドを検出することができる。
【００４０】
以上説明したように、本発明によれば、ロール紙の転動や用紙の弛み発生を抑制することが可能なロール紙収容部を備えるロール紙プリンタを提供できる。
【００４１】
なお、実施形態を例示して本発明を説明したが、本発明の具体的な構成は上述した実施形態に限定されない。
【００４２】
上記実施形態では、押さえローラ１２の回転抑制部としてプラスチック製のブラシ１３を設けたが、押さえローラ１２を押圧することによって所定の摩擦力（抑制力）を得られるものであれば他の材質（例えば金属）であってもよい。また、上記実施形態では、回転抑制部としてのブラシ１３を、押さえローラ１２のロール紙２と当接する側に設けたが、押さえローラ１２のロール紙２と当接しない側に設けてもよい。また、ブラシ１３のような形状ではなく、板状の部品をバネ等の弾性部品で、押さえローラ１２を押圧する構造のものであってもよい。また、押さえローラ１２を外側から押圧して回転を抑制するのではなく、押さえローラ１２の回転軸とその軸支部との間に、押さえローラ１２の回転に伴って、所定の摩擦力が生じる機構を設け、これを回転抑制部としてもよい。
【００４３】
また、上述の実施形態ではサーマルプリンタについて説明したが、ロール紙２を使用する投げ込み式の他のタイプのプリンタ、例えば、ロール紙２を使用する投げ込み式のインクジェットプリンタにも適用可能である。
【符号の説明】
【００４４】
１    ロール紙プリンタ
２    ロール紙
１０  上方フレーム
１１  ロール紙押さえ部
１２  押さえローラ
１３  ブラシ
１４  アーム
１５  基台部
１５ａ  回動軸
１６  コイルバネ（トーションバースプリング）
１７  退避用シャフト
１８ａ  位置決め用孔
１８ｂ  取付ネジ用孔
１８ｃ  嵌合部
１９  退避用シャフト押圧部
２０  下方フレーム
２１  ロール紙収容部
２２  用紙搬送路入口
２３  用紙搬送路
２４  用紙搬送路出口
２５  支持ローラ
２６  検出窓
３０  回動軸部分
３１  係合部
３２  バネ
４０  印字部
４１  サーマルヘッド
４２  プラテンローラ
４３  用紙切断部
４４  用紙搬送部
４５  係合解除レバー
４６  制御部
４７  ニアエンド検出部
４８  ニアエンドセンサ（光センサ）
４９  通信部
【図１Ａ】
2018008823.tif 000003
【図１Ｂ】
2018008823.tif 000004
【図２】
2018008823.tif 000005
【図３Ａ】
2018008823.tif 000006
【図３Ｂ】
2018008823.tif 000007
【図４】
2018008823.tif 000008
【図５】
2018008823.tif 000009
【図６】
2018008823.tif 000010
【図７】
2018008823.tif 000011
【手続補正書】
【提出日】平成29年11月20日(2017.11.20)
【手続補正１】
【補正対象書類名】特許請求の範囲
【補正対象項目名】全文
【補正方法】変更
【補正の内容】
【特許請求の範囲】
【請求項１】
ロール紙を軸支することなく収容するロール紙収容部と、前記ロール紙から供給される用紙を搬送する用紙搬送部と、前記用紙に印字を行う印字部と、前記ロール紙収容部内に収容されたロール紙を押圧するロール紙押さえ部と、前記ロール紙が所定の径以下になったことを検出するロール紙残量小検出部とを備え、
前記ロール紙押さえ部は、所定の径以下となった前記ロール紙を前記ロール紙収容部の底面に向けて押圧して、前記ロール紙残量小検出部が、前記ロール紙が所定の径以下になったことを検出可能な位置に、所定の径以下となった前記ロール紙を留まらせるロール紙プリンタであって、
前記ロール紙押さえ部は、前記ロール紙を押圧するとともに用紙搬送に伴って回転する押さえローラと、前記押さえローラの回転を摩擦力によって抑制する回転抑制部とを有し、
前記ロール紙から供給される用紙が、前記押さえローラを経由して前記用紙搬送部の搬送路に進入する構造である、ロール紙プリンタ。
【請求項２】
請求項１に記載のロール紙プリンタであって、
前記回転抑制部は、用紙搬送停止後、慣性力によって前記押さえローラが回転を継続することを摩擦力によって制動する構造体である、ロール紙プリンタ。
【請求項３】
請求項１又は２に記載のロール紙プリンタであって、
前記回転抑制部は、前記押さえローラを押圧するブラシである、ロール紙プリンタ。
【請求項４】
請求項１ないし３の何れか一項に記載のロール紙プリンタであって、
前記ロール紙プリンタは、上方フレームと下方フレームとを含み、前記上方フレームは、前記下方フレームに設けられた回動軸を中心として上方に回動可能であり、
前記ロール紙押さえ部は退避用シャフトを有し、前記上方フレームは退避用シャフト押圧部を有し、
前記上方フレームの前記退避用シャフト押圧部が、前記上方フレームの回動に伴って前記ロール紙押さえ部の前記退避用シャフトに当接して押圧し、前記押さえローラとその支持部とを退避位置に移動させる、
ロール紙プリンタ。
【手続補正２】
【補正対象書類名】明細書
【補正対象項目名】０００９
【補正方法】変更
【補正の内容】
【０００９】
本発明の一実施形態に係るロール紙プリンタは、ロール紙を軸支することなく収容するロール紙収容部と、前記ロール紙から供給される用紙を搬送する用紙搬送部と、前記用紙に印字を行う印字部と、前記ロール紙収容部内に収容されたロール紙を押圧するロール紙押さえ部と、前記ロール紙が所定の径以下になったことを検出するロール紙残量小検出部とを備え、前記ロール紙押さえ部は、所定の径以下となった前記ロール紙を前記ロール紙収容部の底面に向けて押圧して、前記ロール紙残量小検出部が、前記ロール紙が所定の径以下になったことを検出可能な位置に、所定の径以下となった前記ロール紙を留まらせるロール紙プリンタであって、前記ロール紙押さえ部は、前記ロール紙を押圧するとともに用紙搬送に伴って回転する押さえローラと、前記押さえローラの回転を摩擦力によって抑制する回転抑制部とを有し、前記ロール紙から供給される用紙が、前記押さえローラを経由して前記用紙搬送部の搬送路に進入する構造である。